(57)【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなる多芯筆記具であって、軸筒の後端に、窓孔を後方に開口させる開閉自在の開口部を設け、前記開口部を通して筆記体及び操作体を、軸筒内から取り外し可能且つ軸筒内に挿入可能に構成し、前記開口部を開口し且つ前記開口部を下向きにしたとき、筆記体及び操作体が軸筒内を落下移動し、前記筆記体または操作体が軸筒内壁に係止されてなることを特徴とする多芯筆記具。
【請求項２】
前記開口部を通して筆記体及び操作体を、軸筒内から取り外す際及び軸筒内に挿入する際、筆記体または操作体が湾曲状に弾性変形可能である請求項１記載の多芯筆記具。
【請求項３】
軸筒内に複数の筆記体を前後方向に移動可能に収容し、前記各々の筆記体を弾発体により後方に付勢し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、ペン先突出状態の筆記体後端の操作体が係止される係止壁部を軸筒内壁に設けた多芯筆記具であって、軸筒の後端に、窓孔を後方に開口させる開閉自在の開口部を設け、前記開口部を通して筆記体及び操作体を、軸筒内から取り外し可能且つ軸筒内に挿入可能に構成し、前記開口部を開口し且つ前記開口部を下向きにしたとき、筆記体及び操作体が軸筒内を落下移動し、前記筆記体または操作体が係止壁部に係止されてなることを特徴とする多芯筆記具。
【請求項４】
前記操作体に、弾発体の後端が係止される鍔部を設け、前記開口部を開口し且つ前記開口部を下向きにしたとき、前記鍔部の後面が係止壁部に係止されてなる請求項３記載の多芯筆記具。
【請求項５】
前記鍔部の後面に軸線に対する傾斜面を設け、操作体を後方に引き出した際、前記傾斜面と係止壁部との当接により、操作体が径方向外方に押し上げられる請求項４記載の多芯筆記具。
【請求項６】
前記開口部を通して筆記体及び操作体を、軸筒内から取り外す際及び軸筒内に挿入する際、筆記体または操作体が湾曲状に弾性変形可能である請求項３、４または５記載の多芯筆記具。
【発明の詳細な説明】
【技術分野】
【０００１】
本発明は、多芯筆記具に関する。詳細には、軸筒内に複数の筆記体を収容した多芯筆記具に関する。
【背景技術】
【０００２】
従来この種の筆記具において、特許文献１には、各筆記体の後部に隆起部を設けた摺動体を連接し、隆起部を軸筒の外方に突出させ、隆起部を摺動体に着脱自在に装着したことにより、使用者の好みにあった筆記体に交換した際に、誤った筆記体の選択をすることなく、また隆起部の形状や色柄も選択可能とした構成が開示されている。
【特許文献１】特開２００３−１１５８３号公報
【発明の開示】
【発明が解決しようとする課題】
【０００３】
前記従来の多芯筆記具は、ユーザーが、交換前に軸筒内に収容されていた筆記体とは異なる種類の筆記体に交換する際、摺動体を軸筒内に残した状態で、摺動体から筆記体と隆起部とを取り外し、その後、摺動体に新たな筆記体と新たな隆起部とを取り付ける。そのため、筆記体の交換作業が複雑であり、ユーザーが迅速且つ確実な交換を行うことができないおそれがあり、さらに、複数の筆記体を同時に交換する場合、誤って、筆記体とその筆記体に対応しない隆起部とを一つの摺動体に取り付けるおそれがある。また、前記隆起部は、小さな部品であるため、紛失しやすい。
【０００４】
本発明は、前記従来の問題点を解決するものであって、ユーザーが好みの筆記体とそれに対応した操作体を軸筒内に交換可能に収容でき、しかも、筆記体及び操作体を迅速且つ確実に交換することができ、さらに、軸筒後端を開口した際、筆記体及び操作体が軸筒内から脱落することを回避でき、その上、筆記体及び操作体の軸筒内への出し入れが容易となる多芯筆記具を提供しようとするものである。尚、本発明において、「前」とはペン先側を指し、「後」とはその反対側を指す。
【課題を解決するための手段】
【０００５】
[１]本発明は、軸筒２内に複数の筆記体６を前後方向に移動可能に収容し、前記各々の筆記体６を弾発体８により後方に付勢し、前記各々の筆記体６の後端に操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させてなる多芯筆記具であって、軸筒２の後端に、窓孔４１を後方に開口させる開閉自在の開口部４２を設け、前記開口部４２を通して筆記体６及び操作体７を、軸筒２内から取り外し可能且つ軸筒２内に挿入可能に構成し、前記開口部４２を開口し且つ前記開口部４２を下向きにしたとき、筆記体６及び操作体７が軸筒２内を落下移動し、前記筆記体６または操作体７が軸筒２内壁に係止されてなること（請求項１）を要件とする。
【０００６】
前記多芯筆記具１（請求項１）は、軸筒２の後端に、窓孔４１を後方に開口させる開閉自在の開口部４２を設け、前記開口部４２を通して筆記体６及び操作体７を、軸筒２内から取り外し可能且つ軸筒２内に挿入可能に構成したことにより、開口部４２を通して操作体７及び筆記体６が交換可能となり、ユーザーが好みの筆記体６に交換できると同時に、操作体７も、その筆記体６に適正に対応したものに交換でき、筆記体６と操作体７との誤った連結を防止できる。仮に、操作体７が交換できない構成の場合、交換できる筆記体６の種類は、軸筒２内に収容された操作体７に対応した筆記体６のみに限られ、ユーザーが好みの筆記体６を自由に交換できない。また、前記多芯筆記具１（請求項１）は、筆記体６及び操作体７の二つの部品を、同一箇所（即ち開口部４２）を介して交換できるため、筆記体６及び操作体７の交換作業が単純になり、その交換作業を迅速且つ確実に行うことができる。
【０００７】
さらに、前記多芯筆記具１（請求項１）は、開口部４２を開口し且つ開口部４２を下向きにしたとき、筆記体６及び操作体７が軸筒２内を落下移動し、筆記体６または操作体７が軸筒２内壁に係止されてなることにより、筆記体６及び操作体７が開口部４２から脱落することを回避できる。
【０００８】
[２]前記多芯筆記具１（請求項１）において、開口部４２を通して筆記体６及び操作体７を、軸筒２内から取り外す際及び軸筒２内に挿入する際、筆記体６または操作体７が湾曲状に弾性変形可能であること（請求項２）好ましい。
【０００９】
前記多芯筆記具１（請求項２）により、筆記体６及び操作体７の軸筒２内からの取り外しが容易となるとともに、筆記体６及び操作体７の軸筒２内への挿入が容易となる。もし、筆記体６または操作体７が湾曲状に弾性変形できない構造の場合、筆記体６及び操作体７を、軸筒２内から取り外す際または軸筒２内に挿入する際に、筆記体６または操作体７と軸筒２内壁とが接触することにより、筆記体６及び操作体７の軸筒２内からの取り外しや、筆記体６及び操作体７の軸筒２内への挿入が困難となる。尚、前記多芯筆記具１（請求項２）において、弾発体８の前端が係止される弾発体支持部９を軸筒２内壁に設け、開口部４２を通して筆記体６及び操作体７を、軸筒２内から取り外す際及び軸筒２内に挿入する際、各々のインキ収容管６２の前記弾発体支持部９よりも後方部分が径方向外方に湾曲状に弾性変形可能であることが好ましい。
【００１０】
[３]また、本発明は、軸筒２内に複数の筆記体６を前後方向に移動可能に収容し、前記各々の筆記体６を弾発体８により後方に付勢し、前記各々の筆記体６の後端に操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させてなり、ペン先突出状態の筆記体６後端の操作体７が係止される係止壁部４３を軸筒２内壁に設けた多芯筆記具であって、軸筒２の後端に、窓孔４１を後方に開口させる開閉自在の開口部４２を設け、前記開口部４２を通して筆記体６及び操作体７を、軸筒２内から取り外し可能且つ軸筒２内に挿入可能に構成し、前記開口部４２を開口し且つ前記開口部４２を下向きにしたとき、筆記体６及び操作体７が軸筒２内を落下移動し、前記筆記体６または操作体７が係止壁部４３に係止されてなること（請求項３）を要件とする。
【００１１】
前記多芯筆記具１（請求項３）は、軸筒２の後端に、窓孔４１を後方に開口させる開閉自在の開口部４２を設け、前記開口部４２を通して筆記体６及び操作体７を、軸筒２内から取り外し可能且つ軸筒２内に挿入可能に構成したことにより、開口部４２を通して操作体７及び筆記体６が交換可能となり、ユーザーが好みの筆記体６に交換できると同時に、操作体７も、その筆記体６に適正に対応したものに交換でき、筆記体６と操作体７との誤った連結を防止できる。仮に、操作体７が交換できない構成の場合、交換できる筆記体６の種類は、軸筒２内に収容された操作体７に対応した筆記体６のみに限られ、ユーザーが好みの筆記体６を自由に交換できない。また、前記多芯筆記具１（請求項３）は、筆記体６及び操作体７の二つの部品を、同一箇所（即ち開口部４２）を介して交換できるため、筆記体６及び操作体７の交換作業が単純になり、その交換作業を迅速且つ確実に行うことができる。
【００１２】
さらに、前記多芯筆記具１（請求項３）は、開口部４２を開口し且つ開口部４２を下向きにしたとき、筆記体６及び操作体７が軸筒２内を落下移動し、筆記体６または操作体７が係止壁部４３に係止されてなることにより、筆記体６及び操作体７が開口部４２から脱落することを回避できる。また、前記多芯筆記具１（請求項３）は、ペン先突出状態の筆記体６後端の操作体７が係止される係止壁部４３が、開口部４２からの筆記体６及び操作体７の脱落防止手段を兼ねるため、軸筒２内壁に前記係止壁部４３以外の別の脱落防止用手段を設けることが不要となり、軸筒２内壁の構造を複雑化させない。
【００１３】
[４] 前記多芯筆記具１（請求項３）において、操作体７に、弾発体８の後端が係止される鍔部７５を設け、開口部４２を開口し且つ開口部４２を下向きにしたとき、前記鍔部７５の後面が係止壁部４３に係止されてなること（請求項４）が好ましい。
【００１４】
前記多芯筆記具１（請求項４）は、弾発体８の後端と係止される鍔部７５が、係止壁部４３に係止して、筆記体６及び操作体７の脱落防止手段を兼ねるため、操作体７に前記鍔部７５以外の別の脱落防止用手段を設けることが不要となり、操作体７の構造を複雑化させない。
【００１５】
[５] 前記多芯筆記具１（請求項４）において、鍔部７５の後面に軸線に対する傾斜面７５ａを設け、操作体７を後方に引き出した際、前記傾斜面７５ａと係止壁部４３との当接により、操作体７が径方向外方に押し上げられること（請求項５）ことが好ましい。
【００１６】
前記多芯筆記具１（請求項５）により、筆記体６及び操作体７を軸筒２内から引き出したとき、操作体７の鍔部７５と係止壁部４３との係止状態が容易に解除され、筆記体６及び操作体７のスムーズな取り外しが可能となる。もし、鍔部７５の後面が、軸線に対して垂直面である場合、筆記体６及び操作体７を軸筒２内から引き出したとき、鍔部７５の後面が係止壁部４３に引っかかって、筆記体６及び操作体７のスムーズな取り外しができないおそれがある。
【００１７】
[６] 前記多芯筆記具１（請求項３、４または５）において、開口部４２を通して筆記体６及び操作体７を、軸筒２内から取り外す際及び軸筒２内に挿入する際、筆記体６または操作体７が湾曲状に弾性変形可能であること（請求項６）が好ましい。
【００１８】
前記多芯筆記具１（請求項６）により、筆記体６及び操作体７の軸筒２内からの取り外しが容易となるとともに、筆記体６及び操作体７の軸筒２内への挿入が容易となる。もし、筆記体６または操作体７が湾曲状に弾性変形できない構造の場合、筆記体６及び操作体７を、軸筒２内から取り外す際または軸筒２内に挿入する際に、筆記体６または操作体７と係止壁部４３とが接触することにより、筆記体６及び操作体７の軸筒２内からの取り外しや、筆記体６及び操作体７の軸筒２内への挿入が困難となる。
【００１９】
また、前記多芯筆記具１（請求項６）は、操作体７を後方に引き出した際、傾斜面７５ａと係止壁部４３との当接により、操作体７が径方向外方に押し上げられること(請求項５)により、筆記体６または操作体７が湾曲状に弾性変形可能であることが好ましい。それにより、一層、筆記体６及び操作体７のスムーズな取り外しが可能となる。尚、前記多芯筆記具１（請求項６）において、弾発体８の前端が係止される弾発体支持部９を軸筒２内壁に設け、開口部４２を通して筆記体６及び操作体７を、軸筒２内から取り外す際及び軸筒２内に挿入する際、各々のインキ収容管６２の前記弾発体支持部９よりも後方部分が径方向外方に湾曲状に弾性変形可能であることが好ましい。
【００２０】
【００２１】
【００２２】
【発明の効果】
【００２３】
請求項１の多芯筆記具によれば、ユーザーが好みの筆記体に交換できると同時に、操作体も、その筆記体に適正に対応したものに交換でき、筆記体と操作体との誤った連結を防止できる。また、請求項１の多芯筆記具によれば、筆記体及び操作体の交換作業が単純になり、その交換作業を迅速且つ確実に行うことができる。さらに、請求項１の多芯筆記具によれば、開口部を開口し且つ開口部を下向きにしても、筆記体及び操作体が開口部から脱落するおそれがない。
【００２４】
請求項２の多芯筆記具によれば、筆記体及び操作体の軸筒内からの取り外しが容易となるとともに、筆記体及び操作体の軸筒内への挿入が容易となる。
【００２５】
請求項３の多芯筆記具によれば、ユーザーが好みの筆記体に交換できると同時に、操作体も、その筆記体に適正に対応したものに交換でき、筆記体と操作体との誤った連結を防止できる。また、請求項３の多芯筆記具によれば、筆記体及び操作体の交換作業が単純になり、その交換作業を迅速且つ確実に行うことができる。さらに、請求項３の多芯筆記具によれば、開口部を開口し且つ開口部を下向きにしても、筆記体及び操作体が開口部から脱落するおそれがない。その上、請求項３の多芯筆記具によれば、軸筒内壁に係止壁部以外の別の脱落防止用手段を設けることが不要となり、軸筒内壁の構造を簡易にできる。
【００２６】
請求項４の多芯筆記具によれば、操作体に鍔部以外の別の脱落防止用手段を設けることが不要となり、操作体の構造を簡易にできる。
【００２７】
請求項５の多芯筆記具によれば、筆記体及び操作体を軸筒内から引き出したとき、操作体の鍔部と係止壁部との係止状態が容易に解除され、筆記体及び操作体のスムーズな取り外しが可能となる。
【００２８】
請求項６の多芯筆記具によれば、筆記体及び操作体の軸筒内からの取り外しが容易となるとともに、筆記体及び操作体の軸筒内への挿入が容易となる。
【００２９】
【発明を実施するための最良の形態】
【００３０】
図１乃至図６に本発明の実施の形態を示す。
本実施の形態の多芯筆記具１は、軸筒２内に複数本（具体的には２本）の筆記体６が前後方向に移動可能に収容される。また、前記軸筒２内には複数（具体的には２個）の弾発体８（具体的には圧縮コイルスプリング）が収容される。前記各々の筆記体６は、前記各々の弾発体８により後方に付勢される。
【００３１】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００３２】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ、後方に開口されている。一方、前記窓孔４１の前端は常時閉鎖されている。
【００３３】
また、前記後軸４の窓孔４１の相互間の側壁内面には、前後方向に延びるリブよりなる係止壁部４３が一体に形成され、前記係止壁部４３に、ペン先突出状態の筆記体６の後端に連結された操作体７の後端が係止される。
【００３４】
前記後軸４の窓孔４１の相互間の側壁外面には、クリップ４４が設けられる。
【００３５】
（蓋部）
前記後軸４の後端部には、前記開口部４２を開閉自在にする蓋部５が回動自在に設けられる。前記蓋部５の一端部は、クリップ４４基部に、ヒンジ部５２により回動自在に接続される。前記ヒンジ部５２は、ペン先下向きでクリップ４４を正面視したときのクリップ４４の左右方向に延設され、それにより、前記蓋部５は、略前後方向に回動自在となる。前記蓋部５の前面には、当接壁部５１が形成される。前記当接壁部５１に、ペン先没入状態の筆記体６の後端に連結された操作体７の後端が、当接される。本実施の形態では、前記ヒンジ部５２は、具体的には、回動軸により回動自在に接続される構成が採用されているが、これ以外にも、屈曲変形可能な可撓性を有する連結部または薄肉部により一体に接続される構成であってもよい。
【００３６】
前記蓋部５の他端部の前面には、係合部５３が設けられる（具体的には係合凹部または係合孔部が形成される）。後軸４の後端には、前記係合部５３と係合可能な被係合部４５が設けられる（具体的には係合凸部が突設される）。前記係合部５３（係合凹部または係合孔部）の内面には、内向突起が形成され、一方、前記被係合部４５（係合凸部）の外面には、前記内向突起と乗り越え係止可能な外向突起が形成される。
【００３７】
前記係合部５３と前記被係合部４５とは、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５１との当接では、その係合状態は解除されず、蓋部５が開くことはない。
【００３８】
また、前記係合部５３と被係合部４５の構成以外にも、前記係合部５３が係合凸部よりなり、前記被係合部４５が係合凹部または係合孔部からなる構成でもよい。
【００３９】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００４０】
また、前記ボールペンチップは、前端に回転可能に抱持されたボールを弾発体等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。
【００４１】
前記インキ収容管６２は、合成樹脂（例えばポリプロピレン）の成形体（例えば押出成形体または射出成形体）からなり、径方向の可撓性を有し、湾曲状に弾性変形可能である。
【００４２】
（操作体）
前記各々の筆記体６の後端（即ちインキ収容管６２の後端開口部）には、操作体７が取り付けられる。前記各々の操作体７は合成樹脂の成形体から得られる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。
【００４３】
前記嵌入部７４は、インキ収容管６２の後端開口部に嵌入された際、インキ収容管６２の後端開口部を完全には塞がず、インキ収容管６２の内部と外部とを通気可能にする。
【００４４】
前記鍔部７５の前面には、弾発体８の後端が係止される。前記鍔部７５の後面には、軸線に対する傾斜面７５ａが形成される。尚、本発明の傾斜面７５ａは、後方に向かうに従い次第に径方向外方に向かう面であればよい。前記傾斜面７５ａは、本実施の形態では一定角度を有する平面であるが、これ以外にも、例えば、曲面（凸曲面または凹曲面）でもよい。
【００４５】
また、本実施の形態では、インキ収容管６２が、可撓性を有し且つ湾曲状に弾性変形可能であるが、これに加えて、操作体７が、可撓性を有し且つ湾曲状に弾性変形可能である構成でもよい。
【００４６】
筆記体６のペン先６１が没入状態のとき、その筆記体６に取り付けられた操作体７の後端部は、蓋部５の前面に形成された当接壁部５１に当接される。一方、筆記体６のペン先６１が突出状態のとき、その筆記体６に取り付けられた操作体７の後端部は、軸筒２の内壁に形成された係止壁部４３に係止される。
【００４７】
ペン先没入状態にある筆記体６の後端に連結された操作体７の前側突出部７２は、その操作体７の操作部７１を前方にスライド操作した際、先にペン先突出状態にある他の筆記体６の後端に連結された操作体７の後側突出部７３と当接され、他の筆記体６のペン先突出状態が解除される。
【００４８】
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００４９】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００５０】
（弾発体支持部）
軸筒２の内壁（即ち後軸４の内壁）には、円筒状の弾発体支持部９が固着される。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６（即ちインキ収容管６２）の後部が遊挿されるとともに、各々の弾発体８の前端は弾発体支持部９の後面により係止され、各々の弾発体８の後端は操作体７の鍔部７５の前面に係止される。
【００５１】
また、弾発体支持部９の後面の各々の内孔９１の周囲には、周状壁部（具体的には後方に突出する筒状突出部）よりなる保持部９２が形成される。前記各々の保持部９２の内面は、各々の弾発体８の前端部外面が圧入保持される。それにより、各々の筆記体６及び操作体７を交換する際、軸筒２内から開口部４２を通して各々の弾発体８が脱落することを防止できる。
【００５２】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００５３】
（ペン先の出没）
本実施の形態におけるペン先６１の出没作動について説明する（図１及び図２参照）。
一つの操作体７の操作部７１を弾発体８の後方付勢に抗して窓孔４１に沿って前方にスライド操作すると、そのスライド操作された操作体７の前側突出部７２が、先にペン先突出状態にある他の筆記体６の操作体７の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００５４】
（筆記体及び操作体の交換）
本実施の形態における筆記体６及び操作体７の交換について説明する。
筆記体６を交換する際、蓋部５が軸筒２の後端の開口部４２を閉鎖した状態（図１参照）から、図３に示すように、蓋部５のヒンジ部５２と反対側の操作端部を後方に押圧し、係合部５３と被係合部４５との係合を解除し、蓋部５を後方に回動させ、軸筒２の後端の開口部４２を開口する。前記開口部４２を開口させると、前記開口部４２から各々の操作体７が、弾発体８の後方付勢により後方外部に僅かに突出される。前記軸筒２の後端の開口部４２が開口した状態で、操作体７を取り出すことにより、その操作体７と互いに連結状態にある筆記体６を、前記開口部４２を通して軸筒２内から取り出し、その後、互いに連結状態にある新たな筆記体６と新たな操作体７とを前記開口部４２を通して軸筒２内に挿入する。そして、蓋部５の当接壁部５１に各々の操作体７の後端を当接させ、各々の操作体７を前方に押圧しながら蓋部５を前方に回動させ、その後、係合部５３と被係止部とを係合させ、開口部４２を閉鎖する。これにより、筆記体６及び操作体７の交換作業が終了する。
【００５５】
（筆記体及び操作体の脱落防止）
図４に示すように、筆記体及び操作体を交換する際、軸筒２の後端の開口部４２を開口させた状態で、該開口部４２を下向きにすると、各々の筆記体６及び操作体７が自重により軸筒２内を下方（即ち後方）に落下移動し、操作体７の鍔部７５の後面に形成した傾斜面７５ａと係止壁部４３とが前後方向に係止される。それにより、各々の筆記体６及び操作体７が軸筒２後端の開口部４２から抜け落ちることを防止できる。また、このとき、各々の弾発体８の前端部外面が、弾発体支持部９の後面の保持部９２に圧入保持されているため、開口部４２を開口させ且つ開口部４２を下向きにしても、各々の弾発体８が、開口部４２から抜け落ちることを防止できる。
【００５６】
（筆記体の弾性変形）
図５及び図６に示すように、図４の状態から各々の筆記体６を僅かに引き出すと、各々のインキ収容管６２の弾発体支持部９よりも後方部分（具体的には弾発体支持部９の内孔９１よりも後方部分）が径方向外方に湾曲状に弾性変形（撓み変形）し、係止壁部４３の側面とインキ収容管６２または操作体７とが径方向の圧接状態となる。本実施の形態では、筆記体６及び操作体７を軸筒２内から取り外す際、係止壁部４３の側面とインキ収容管６２または操作体７とが径方向に圧接すると同時に、インキ収容管６２が湾曲状に弾性変形することにより、筆記体６及び操作体７の軸筒２内からの取り外しが容易となる。同様に、本実施の形態では、筆記体６及び操作体７を軸筒２内に挿入する際、係止壁部４３の側面とインキ収容管６２または操作体７とが径方向に圧接すると同時に、インキ収容管６２が湾曲状に弾性変形することにより、筆記体６及び操作体７の軸筒２内への挿入が容易となる。
【００５７】
（操作体の引っかかり防止）
本実施の形態では、鍔部７５の後面に軸線に対する傾斜面７５ａを設けたことにより、筆記体６及び操作体７を軸筒２内から後方に引き出したとき、鍔部７５の後面の傾斜面７５ａと係止壁部４３とが当接することによって、操作体７が径方向外方に押し上げられる。それにより、鍔部７５の後面が係止壁部４３に引っかかることなく、操作体７の鍔部７５と係止壁部４３との係止状態が容易に解除され、筆記体６及び操作体７のスムーズな取り外しが可能となる。
【００５８】
（筆記体及び操作体の飛び出し防止）
また、本実施に形態では、開口部４２を開口させた状態で、ペン先没入状態にある筆記体６の後端の操作体７を前方にスライドさせ、そのスライド操作前にペン先突出状態にある他の筆記体６を弾発体８の弾発力により後方に勢いよく没入させても、図４に示すように操作体７が係止壁部４３に前後方向に係止されるか、あるいは、図５に示すように操作体７または筆記体６（インキ収容管６２）と係止壁部４３とが径方向に圧接される。それにより、筆記体６及び操作体７が、軸筒２後端の開口部４２から飛び出して、軸筒２内から脱落するおそれがない。
【図面の簡単な説明】
【００５９】
【図１】本発明の多芯筆記具の実施の形態における全ペン先没入状態（非筆記時）を示す縦断面図である。
【図２】図１の多芯筆記具の一つのペン先が突出した状態（筆記時）を示す縦断面図である。
【図３】ペン先下向き状態で図１の多芯筆記具の後端の開口部を開口した状態を示す側面図である。
【図４】軸筒後端の開口部を開口させ該開口部を下向きにした状態を示す要部縦断面図である。
【図５】図４の状態から操作体を引き出した状態を示す要部縦断面図である。
【図６】図５の      Ａ−Ａ線拡大断面図である。
【符号の説明】
【００６０】
１  多芯筆記具
２  軸筒
３  前軸
３１  前端孔
４  後軸
４１  窓孔
４２  開口部
４３  係止壁部
４４  クリップ
４５  被係合部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
７５ａ  傾斜面
８  弾発体
９  弾発体支持部
９１  内孔
９２  保持部
【図１】
0004754295.tif 000002
【図２】
0004754295.tif 000003
【図３】
0004754295.tif 000004
【図４】
0004754295.tif 000005
【図５】
0004754295.tif 000006
【図６】
0004754295.tif 000007